(57)【特許請求の範囲】
【請求項１】
空気を取り入れて部屋に供給する換気装置と、前記換気装置と前記部屋とを連通する給気ダクトと、を備える建物の換気システムであって、
前記換気装置としての熱交換換気扇の前記部屋に通じる下流側には除湿・加温装置が前記給気ダクトで接続され、さらにその下流側には加湿装置が前記給気ダクトで接続され、前記加湿装置の下流側には前記給気ダクトが連結されて、
前記換気装置及び前記除湿・加湿装置は天井裏空間に配置されるとともに、前記加湿装置は床下空間に配置されており、
前記加湿装置は、給水装置によって給水滴下される複数のフィルタを備え、取り入れた空気の少なくとも一部が前記フィルタを通過し、
前記複数のフィルタは全て、空気の通過方向と水の流下方向とが対向するように縦方向に傾斜した断面六角形状の複数の小部屋を有するハニカム構造を備えていることを特徴とする建物の換気システム。
【請求項２】
前記天井裏空間には、前記換気装置の下流側に必要な風量を得るための中間ダクトファンが連結されることを特徴とする請求項１に記載の建物の換気システム。
【請求項３】
前記加湿装置への給水を調整する電磁弁は、床に設けられた床下点検口の直下に配置されることを特徴とする請求項１又は請求項２に記載の建物の換気システム。
【請求項４】
前記加湿装置には、取り入れた空気が前記フィルタを通過しないで迂回する迂回路が設けられることを特徴とする請求項１乃至請求項３のいずれか一項に記載の建物の換気システム。
【発明の詳細な説明】
【技術分野】
【０００１】
本発明は、建物の換気システムに関するものである。
【背景技術】
【０００２】
従来、冬季において、ヒーターなどの暖房器具によって空気を暖めることで、建物内の居室空間の湿度が低下してしまうことが問題となっている。
【０００３】
湿度が低下すると、快適さが損なわれること、ウイルスの活動が活発になって空気感染しやすくなること、静電気が発生して電子機器の故障の原因になること、などの様々な問題が生じる。
【０００４】
これらの問題を解決するために、特許文献１には、１つのユニット内に送風機と加湿器とを有して天井裏に設置される換気装置が開示されている。
【０００５】
このように、送風機と加湿器を有する換気装置によって、建物内の居室空間の湿度を集中的に管理することができる。
【特許文献１】特開平１０−２８８３５７号公報
【発明の開示】
【発明が解決しようとする課題】
【０００６】
しかしながら、上記の特許文献１の構成では、天井裏の狭い空間に、送風機と加湿器とが一体のユニットとなった換気装置を設置するため、加湿用のフィルタの大きさが制限され、建物全体を加湿するための能力が不足する場合があった。
【０００７】
そこで、本発明は、建物全体を加湿するための充分な能力を備えた建物の換気システムを提供することを目的としている。
【課題を解決するための手段】
【０００８】
前記目的を達成するために、本発明の換気システムは、空気を取り入れて部屋に供給する換気装置と、前記換気装置と前記部屋とを連通する給気ダクトと、を備える建物の換気システムであって、前記換気装置としての熱交換換気扇の前記部屋に通じる下流側には除湿・加温装置が前記給気ダクトで接続され、さらにその下流側には加湿装置が前記給気ダクトで接続され、前記加湿装置の下流側には前記給気ダクトが連結されて、前記換気装置及び前記除湿・加湿装置は天井裏空間に配置されるとともに、前記加湿装置は床下空間に配置されており、前記加湿装置は、給水装置によって給水滴下される複数のフィルタを備え、取り入れた空気の少なくとも一部が前記フィルタを通過し、前記複数のフィルタは全て、空気の通過方向と水の流下方向とが対向するように縦方向に傾斜した断面六角形状の複数の小部屋を有するハニカム構造を備えていることを特徴とする。
【０００９】
また、前記天井裏空間には、前記換気装置の下流側に必要な風量を得るための中間ダクトファンが連結される構成とすることができる。
【００１０】
さらに、前記加湿装置への給水を調整する電磁弁は、床に設けられた床下点検口の直下に配置される構成とすることができる。
【００１３】
さらに、前記加湿装置には、取り入れた空気が前記フィルタを通過しないで迂回する迂回路を設けることができる。
【発明の効果】
【００１５】
このように、本発明の換気システムは、換気装置と給気ダクトとを備える建物の換気システムであって、換気装置の下流側には加湿装置が接続され、加湿装置の下流側には給気ダクトが連結されて、換気装置は天井裏空間に配置されるとともに、加湿装置は床下空間に配置される。
【００１６】
したがって、天井裏空間と床下空間とを有効に利用しつつ、床下空間に配置される大型の加湿装置を用いて建物内を加湿して、空気の過乾燥を抑制することができる。
【００１７】
また、天井裏空間には、換気装置の下流側に必要な風量を得るための中間ダクトファンが連結されることで、給気ダクトの圧力損失が大きい場合でも建物内を加湿できる。
【００１８】
さらに、加湿装置への給水を調整する電磁弁は、床に設けられた床下点検口の直下に配置されることで、電磁弁を容易に清掃することができる。
【００１９】
そして、加湿装置は、給水装置によって給水滴下されるフィルタを備えるタイプとすることで、加湿する能力が高くなるとともに、結露の発生を抑えることができる。
【００２０】
また、換気装置の下流側かつ加湿装置の上流側に、除湿装置、加湿装置又は除湿・加温装置のいずれかひとつが接続されて床下空間に配置されることで、加湿された空気が換気装置や除湿装置、加湿装置又は除湿・加温装置を通過しないため、効率よく加湿することができる。
【００２１】
さらに、加湿装置に、取り入れた空気がフィルタを通過しないで迂回する迂回路を設けることで、迂回する空気には圧力損失が生じないため、加湿装置を通過する空気の圧力損失を抑制することができる。
【００２２】
そして、上記したような換気システムを備えるユニット建物は、充分な湿度を有する快適な建物となる。
【発明を実施するための最良の形態】
【００２３】
以下、本発明の最良の実施の形態について図面を参照して説明する。
【００２４】
まず、図１を用いて、ユニット建物Ｕの構成を説明する。
【００２５】
このユニット建物Ｕは、図１に示すように、土台となる基礎部１４と、１階の床３１と、１階の壁３２と、２階の床３３（１階の天井）と、２階の壁３４と、屋根３５と、を備えている。
【００２６】
そして、１階の床３１と１階の壁３２と２階の床３３（１階の天井）とに囲まれて１階の部屋１１が形成され、２階の床３３と２階の壁３４と屋根３５とに囲まれて２階の部屋１２が形成されている。
【００２７】
このユニット建物Ｕは、ベタ基礎などの基礎部１４と底面を覆う底版部１５とを備えており、基礎部１４と底版部１５と１階の床３１とに囲まれて床下空間１６が形成されている。また、屋根３５の内部には天井裏空間１７が形成されている。
【００２８】
そして、本実施の形態のユニット建物Ｕは、天井裏空間１７に、フィルタボックス５０を介して外気を取り込む換気装置としての熱交換換気扇６と、熱交換換気扇６の下流側に接続された除湿・加温装置７と、を備えるとともに、床下空間１６に、除湿・加温装置７の下流側に接続された加湿装置８を備えている。
【００２９】
したがって、天井裏空間１７に配置される熱交換換気扇６と、熱交換換気扇６の１階の部屋１１に通じる下流側に接続されて床下空間１６に配置される加湿装置８と、熱交換換気扇６と加湿装置８とを接続する加湿装置接続管８８と、加湿装置８の下流側に連結される給気ダクト４５３，４５４と、を備えて建物の換気システムＳが構成されている。
【００３０】
なお、ここにおいて、下流側とは、熱交換換気扇６を起点として、１階の部屋１１や２階の部屋１２を終点とした場合における、終点に近い側をいうものとする。
【００３１】
また、フィルタボックス５０は、２階の部屋１２の天井近傍に配置され、内部に複数種類のフィルタを備えることで、外気取入ダクト４２によって取り入れた外気に含まれる粉塵や窒素酸化物などを取り除くものである。
【００３２】
また、外気取入ダクト４２は、一端がウェザーカバー４１によって雨水が吹き込まないようにされた屋根３５に取り付けられ、他端が熱交換換気扇６に取り付けられて、屋外と熱交換換気扇６とを連通している。
【００３３】
さらに、熱交換換気扇６は、天井裏空間１７に配置されて、内部に給気及び排気のための送風機を備えるとともに、屋内側から屋外側に至る排気のための経路と、屋外側から屋内側に至る給気のための経路と、が互いに略直交するように形成され、この交差部に熱交換器を設けて給気と排気の熱交換をするものである。
【００３４】
そして、この熱交換換気扇６には、上記した外気取入ダクト４２が連結されている他、排気のための排気ダクト４３と、内気を取り入れる内気取入ダクト４４と、除湿・加温装置７に接続する除湿・加温装置接続管７２と、が連結されている。
【００３５】
この排気ダクト４３は、一端が熱交換換気扇６に取り付けられ、他端がウェザーカバー４１によって雨水が吹き込まないようにされた屋根３５に取り付けられて、熱交換換気扇６と屋外とを連通している。
【００３６】
また、内気取入ダクト４４は、一端がユニット建物Ｕ内のホール１３に設けられた排気グリル４６ｂに取り付けられ、他端が熱交換換気扇６に取り付けられることで、屋内と熱交換換気扇６とを連通している。
【００３７】
さらに、熱交換換気扇６と除湿・加温装置７は、除湿・加温装置接続管７２によって接続されており、両者の間には内部に送風機を備えた中間ダクトファン２が設けられている。
【００３８】
この中間ダクトファン２は、給気ダクト４５０，４５１，４５２，４５３，４５４，４５５や加湿装置接続管８８の長さが長くなったり屈曲箇所が多くなったりして、管路内の圧力損失が大きくなった場合に、必要な風量を確保するために設けられる。
【００３９】
そして、外気取入ダクト４２と除湿・加温装置接続管７２とは、熱交換換気扇６を介して繋がって給気のための経路を形成するとともに、内気取入ダクト４４と排気ダクト４３とは、熱交換換気扇６を介して繋がっていて排気のための経路を形成している。
【００４０】
この給気のための経路と排気のための経路とは相互に分離されているため、給気と排気とが混合されることはないが、熱交換換気扇６の内部において、給気の顕熱と排気の顕熱とを交換するように形成されている。
【００４１】
また、除湿・加温装置７は、外気取入ダクト４２を通じて取り入れられた後に熱交換換気扇６によって熱交換された空気を、除湿及び加温するもので、除湿・加温装置接続管７２によって熱交換換気扇６と接続され、天井裏空間１７から床下空間１６まで配設された給気ダクトとしての加湿装置接続管８８によって加湿装置８と接続されている。
【００４２】
さらに、この除湿・加温装置７には、屋外に配置されて熱交換を行う室外機７１が、連結手段（図示せず）によって連結されている。
【００４３】
そして、本実施の形態の換気システムＳが備える加湿装置８は、床下空間１６に配置されて、除湿・加温装置７を通過した外気を加湿するもので、上流側に加湿装置接続管８８が接続されて除湿・加温装置７と連結されるとともに、下流側に給気ダクト４５３，４５４が接続されて１階の部屋１１に設けられた給気グリル４６ａ，４６ａと連結されている。
【００４４】
この加湿装置８は、図２に示すように、１階の床３１に設けられた床下点検口３６の近傍の床下空間１６に配置されるもので、上部の給水管８３（図３，４参照）には電磁弁４８を有する給水装置としての給水管４７が接続されており、下部の排水管８４（図３参照）には排水管４９が接続されている。
【００４５】
床下点検口３６は、加湿装置８のフィルタ８２（図３，４参照）の点検を行うために１階の床３１に設けられるもので、開口した状態で電磁弁４８に手が届くように形成されている。
【００４６】
また、加湿装置８は、図３（ａ），（ｂ）に示すように、全体を収納するケース８１と、加湿装置接続管８８が接続された方向に面を向けた３つのフィルタ８２，８２，８２と、このフィルタ８２，８２，８２に給水する給水管８３と、通過する空気に吸収されずにフィルタ８２，８２，８２の下まで流下した水を排水する排水管８４と、排水管８４が配置された側の空間に空気が流れるのを防止して圧力損失が生じないようにする仕切板８５と、を備えている。
【００４７】
この給水装置としての給水管８３は、床下空間１６の給水管４７に接続されて水道水を供給するもので、途中に電磁弁４８が設置されて、給水量を調整できるように形成されている。
【００４８】
加えて、この電磁弁４８には、１階の部屋１１に設置された加湿用スイッチ５２が接続されており、ＯＮ／ＯＦＦを切換えることで電磁弁４８が開閉されて、建物内を随時加湿できるようになっている。
【００４９】
また、排水管８４は、床下空間１６の排水管４９に接続されて、末端が下水道に連結されているため、自然流下によって加湿の際に余った水を下水に流すことができる。
【００５０】
そして、このフィルタ８２は、図４に示すように、全体の形状を保持するケース部８２１と、ケース部８２１に格納されたフィルタ８２の本体を構成するハニカム構造部８２２と、を備えており、ケース部８２１の上部には給水管８３が挿入されている。
【００５１】
このケース部８２１の上部に挿入された給水管８３の側面には、複数の小孔８３ａ，・・・が設けられ、給水管８３に通水した際にはこの小孔８３ａから水が放出されて、この水がハニカム構造部８２２の全体を流下する。
【００５２】
ハニカム構造部８２２は、合成繊維などを折り重ねることによって、断面六角形状に形成された小部屋を多数備えるものであり、この小部屋が傾斜して形成されているため、加湿する際には、取り入れた空気がこの傾斜した小部屋を上方に移動しつつ通過することとなる。
【００５３】
また、図１に示すように、給気ダクト４５０は床下空間１６に配置されて、一端が加湿装置８に連結されるとともに、他端が分岐ヘッダを介して給気ダクト４５３，４５４に連繋している。
【００５４】
この給気ダクト４５３，４５４は、床下空間１６に配設されて、一端が給気ダクト４５０に接続されているとともに、他端が１階の部屋１１に設けられた給気グリル４６ａ，４６ａに接続されている。
【００５５】
そして、給気ダクト４５１，４５２は、天井裏空間１７に配設されて、一端が分岐ヘッダを介して給気ダクト４５５に接続されているとともに、他端が２階の部屋１２に設けられた給気グリル４６ａ，４６ａに接続されている。
【００５６】
次に、本実施の形態の換気システムＳの作用について説明する。
【００５７】
まず、図５を用いて、給気及び排気の際の空気の流れを説明する。
【００５８】
給気においては、外気取入ダクト４２を通じて取入られた屋外の空気は、途中に設置されたフィルタボックス５０によって粉塵や窒素酸化物などを除去された後に、熱交換換気扇６を経由し、除湿・加温装置７で除湿・加温され、加湿装置８によって加湿されて、給気ダクト４５３，４５４を通じて部屋１１に導入され、給気グリル４６ａ，４６ａから放出される。
【００５９】
そして、加湿の際には、図３（ａ）（ｂ）に示すように、加湿装置接続管８８から取り入れられた空気は、フィルタ８２，８２，８２を通過し、それぞれのフィルタ８２を通過する際に、傾斜した略六角形状の小部屋内を上に向かって移動する（図４の白抜き矢印を参照）。
【００６０】
この移動の際には、空気は、フィルタ８２に含まれつつ流下する水と対向して移動することとなるため、この流下する水を効率よく含水することができる。
【００６１】
その後、すべてのフィルタ８２，８２，８２を通過して含水した空気は、給気ダクト４５０に放出される。
【００６２】
一方、排気においては、排気グリル４６ｂを通じて内気取入ダクト４４に取り入れられた屋内の空気は、熱交換換気扇６を経由し、排気ダクト４３を通じて屋外に放出される。
【００６３】
ここにおいて、給気と排気とは同時に行われて、熱交換換気扇６を経由する際に相互に熱交換されることで、冷気は暖められ、暖気は冷やされることになる。
【００６４】
したがって、例えば、冬季において、外気を取り入れる場合には、暖房によって暖められた内気の熱を、冷たい外気に与えることで、外気を暖めつつ取り入れることができるため、暖房の効率が向上するとともに、屋内の温度差を少なくしてヒートショックを防止することもできる。
【００６５】
このように、本実施の形態の換気システムＳは、換気装置としての熱交換換気扇６の下流側に加湿装置８が設置されて、この熱交換換気扇６は天井裏空間１７に配置されているとともに、加湿装置８は床下空間１６に配置されている。
【００６６】
そして、加湿装置８を備えて屋内に供給する空気を加湿することで、屋内でのウイルスの活動を抑制したり、静電気の発生を低減したりすることができるため、快適な住空間を構築することができる。
【００６７】
この換気システムＳの効果を検証するために、図６に示すように、建物内の温度を２２℃に設定した状態で、外気及び建物内の湿度変化を実測した。図６において、縦軸は湿度（％）、横軸は時間を表している。
【００６８】
図６に示すように、冬季に空調の設定温度を一定にして熱交換換気扇６及び除湿・加温装置７を運転する場合、外気の温度の変化に伴って外気の湿度も変化するが、建物内の温度は略一定に保持されているため湿度も３０％程度の略一定状態となる。
【００６９】
この状態で加湿装置８を稼動させて加湿運転を開始すると（加湿運転ＯＮ）、図６中に示したように湿度が略１０％程度上昇して４０％程度になり、その後も４０％程度を保持しつづけることになる。
【００７０】
そして、本実施の形態の換気システムＳは、熱交換換気扇６の下流側には加湿装置８が接続され、加湿装置８の下流側には給気ダクト４５３，４５４が連結されて、熱交換換気扇６は天井裏空間１７に配置されるとともに、加湿装置８は床下空間１６に配置される。
【００７１】
したがって、天井裏空間１７と床下空間１６とを有効に利用しつつ、床下空間１６に配置される比較的大型の加湿装置８を用いて建物内を加湿して、空気の過乾燥を抑制することができる。
【００７２】
すなわち、天井裏空間１７や床下空間１６の各々の広さが、熱交換換気扇６や除湿・加温装置７や中間ダクトファン２や加湿装置８などを配置するために十分でない場合でも、換気システムＳを構築することができる。
【００７３】
この場合、天井裏空間１７に熱交換換気扇６を配置することで、夏季の冷房時には、２階の部屋１２に設けられた給気グリル４６ａ，４６ａを通じて除湿・加温装置７で除湿された空気を供給でき、冬季の暖房時には、１階の部屋１１に設けられた給気グリル４６ａ，４６ａを通じて加湿装置８で加湿された空気を供給できる。
【００７４】
つまり、冷房時には周囲の空気より重く下降する冷気を建物内の上部から供給することが合理的であり、暖房時には周囲の空気より軽く上昇する暖気を建物内の下部から供給することが合理的である。
【００７５】
したがって、冷房・暖房それぞれの機能に対応した装置を、天井裏空間１７や床下空間１６にそれぞれ配置することで、途中の配管での顕熱の損失や湿度の損失を抑制した合理的な換気システムＳを構築できる。
【００７６】
加えて、天井裏空間１７と床下空間１６とを連結する加湿装置接続管８８は、加湿装置８の上流側に位置するため、湿度の高い空気が流れることはなく結露することもない。
【００７７】
また、天井裏空間１７には、熱交換換気扇６の下流側に必要な風量を得るための中間ダクトファン２が連結されることで、給気ダクト４５１，４５２，４５３，４５４，４５５や加湿装置接続管８８の圧力損失が大きい場合でも建物内を加湿できる。
【００７８】
つまり、給気ダクト４５１，４５２，４５３，４５４，４５５や加湿装置接続管８８の延長が長くなるとともに屈曲箇所が増えると、その分だけ配管内の圧力損失が大きくなるが、この場合でも中間ダクトファン２を備えることで圧力損失を補うことができる。
【００７９】
特に、本実施の形態のように換気システムＳの主要な装置である熱交換換気扇６や除湿・加温装置７と加湿装置８とが天井裏空間１７と床下空間１６とに別々に配置されている場合でも送風できる効果は大きいといえる。
【００８０】
加えて、この場合に中間ダクトファン２が熱交換換気扇６のすぐ下流側に直接に接続されていることで、給気ダクト全体の圧力を高めて建物全体に送風することができる。
【００８１】
さらに、加湿装置８への給水を調整する電磁弁４８は、床に設けられた床下点検口３６の直下に配置される構成とすることで、電磁弁４８を容易に清掃することができる。
【００８２】
そして、加湿装置８が床下空間１６に配置されることで、給水や排水に必要な給水管４７や排水管４９も床下空間１６に配置できるため、給水管４７や排水管４９を極めて容易に設置できる。
【００８３】
加えて、万が一、何らかの理由によって水漏れが発生した場合でも、加湿装置８が床下空間１６に配置されているため、床下空間１６が浸水するだけであり、家財道具などが水濡れするおそれがない。
【００８４】
さらに、加湿装置８は、給水管４７によって給水滴下されるフィルタ８２を備えることで、加湿する能力が高くなるとともに、結露の発生を抑えることができる。
【００８５】
つまり、本実施の形態の換気システムＳでは、加湿装置８として、フィルタ８２を備える、いわゆる気化式のものを用いるため、水が蒸発するための面積が広く、水蒸気の飽和効率が高くなる。
【００８６】
このように、加湿する能力が高くなることで、ユニット建物Ｕの全体を加湿することができる。
【００８７】
また、気化式の加湿装置８は、空気が自然の状態で保持できる水分量を与えるものであるため、飽和状態にはならず、結露の発生を抑えることができる。
【００８８】
このように、結露の発生を抑制できることで、加湿装置８と部屋１１とを連結する給気ダクト４５３，４５４の内部にカビが発生することを抑制できる。
【００８９】
さらに、このフィルタ８２を備えた気化式の加湿装置８は、空気の持つ顕熱のみで蒸発・加湿するため、特別に熱エネルギーなどを加える必要もなく、省エネルギー化を図ることができる。
【００９０】
そして、水道管から分岐した給水管４７を用いて給水するため、手作業によって水を補給する必要がない。
【００９１】
また、本実施の形態の換気システムＳに設置される加湿装置８は、フィルタ８２を複数備えることで、より高い加湿能力を備えるとともに、圧力損失を少なくすることができる。
【００９２】
つまり、加湿能力を高めようとすればフィルタ８２の通風方向の厚みを増加すればよいが、フィルタ８２の厚みを増加すると、六角形状の小部屋は傾斜しているため、フィルタ８２の上端近傍及び下端近傍の小部屋は利用されなくなって、蒸発のために有効な面積が少なくなる。
【００９３】
そこで、フィルタ８２を複数備えて、フィルタ８２の厚みの総和を増加させることで、蒸発のために有効な面積を極端に減少することなく、加湿する能力を高めることができる。
【００９４】
さらに、換気装置としての熱交換換気扇６の下流側かつ加湿装置８の上流側に除湿・加温装置７が接続されて床下空間１６に配置されることで、加湿された空気が熱交換換気扇６や除湿・加温装置７を通過しないため、効率よく加湿することができる。
【００９５】
つまり、仮に、加湿装置８の下流側に除湿・加温装置７が配置されていれば、加湿装置８によって加湿しても、下流側で除湿されてしまうこととなって、部屋１１，１２の湿度を高めることはできない。
【００９６】
また、仮に、加湿装置８の下流側に熱交換換気扇６が設置されていれば、冷たく飽和水蒸気量の少ない外気を加湿装置８によって加湿することとなって、加湿の効率が低いとともに、この冷たい外気を熱交換換気扇６で暖めることで、湿度が低下してしまうこととなる。
【００９７】
一方、熱交換換気扇６の下流側に除湿・加温装置７が配置され、この除湿・加温装置７の下流側に加湿装置８が配置されていれば、上記のような問題はなく、効率よく空気を加湿して部屋１１，１２の湿度を高めることができる。
【００９８】
また、除湿・加温装置７によって一旦除湿された空気を加湿することで、加湿装置８は、安定して空気を加湿することができる。
【００９９】
すなわち、除湿しない場合には加湿装置８に取り入れる空気の湿度は安定しないが、除湿する場合には加湿装置８に取り入れる空気の湿度は安定するため、加湿装置８によって加湿する際に、電磁弁４８によって給水量を調整することで湿度を調整できる。
【０１００】
加えて、換気システムＳは、加湿装置８を用いて加湿運転する際には、除湿・加温装置７を用いた加温運転と併用することで、給気ダクト内の結露を防止することができる。
【０１０１】
そして、上記のように換気システムＳを構成することで、室内に設置スペースが不要となる、水道管から給水しているため水の補給が不要となる、ファンが付いた一般の加湿器のような送風音がしない、などの各特徴を備えることができる。
【実施例】
【０１０２】
次に、図７（ａ）（ｂ）を用いて、前記実施の形態とは別の形態の加湿装置８Ａを備える場合について説明する。なお、前記実施の形態で説明した内容と同一乃至均等な部分の説明については同一符号を付して説明する。
【０１０３】
前記実施の形態では、加湿装置８のケース８１の内部に仕切板８５が設置される場合について説明したが、本実施例では、加湿装置８のケース８１の内部にスライドドア８７が設置される場合について説明する。
【０１０４】
図７（ａ）に示すように、本実施例の加湿装置８Ａは、ケース８１の内部に、スライドドア８７を備えている。
【０１０５】
このスライドドア８７は、ケース８１の内部において、最も上流側にある一番目のフィルタ８２の側方に配置されるもので、フィルタ８２の面と同一面を形成し、フィルタ８２の側方の隙間を埋めている。
【０１０６】
さらに、スライドドア８７は、空気の流れに直交する方向にスライドして、フィルタ８２の側方の隙間を開閉することができる。
【０１０７】
そして、加湿する際には、このスライドドア８７をスライドさせることで、空気がフィルタ８２を通過しないで迂回する迂回路８９を設けることができる。
【０１０８】
すなわち、建物の一部のみを換気する場合、図７（ｂ）に示すように、開閉装置８６，８６を途中まで閉めて、加湿装置接続管８８の一部と給気ダクト４５０の一部とを閉鎖する。
【０１０９】
この状態でも、加湿装置接続管８８の隙間を通じて送風することができるものの、全体の風量が減少することで、加湿した空気が屋内の部屋１１，１２まで届かない可能性が生じる。
【０１１０】
そこで、本実施例では、ケース８１の内部のスライドドア８７の開閉を調整することで必要な風量を得ることができる。
【０１１１】
つまり、加湿装置接続管８８の一部と給気ダクト４５０の一部とを開閉装置８６，８６によって閉塞する場合、スライドドア８７をスライドさせてフィルタ８２の側方に迂回路８９に通じる隙間を開けておく。
【０１１２】
そうすると、この隙間を通過する空気は、ほとんど圧力損失が生じることなく、もとの圧力を保持したままで、フィルタ８２，８２，８２を通過した空気と混合されて、給気ダクト４５０に放出されることとなる。
【０１１３】
したがって、給気ダクト４５０に放出される空気は、全体としては、所定の圧力を備えることができるため、加湿した空気を、屋内の部屋１１，１２まで導入することができる。
【０１１４】
そして、このスライドドア８７を開閉することで、フィルタ８２，８２，８２を通過する空気の量を調整することができるため、これによって湿度を調整することもできる。
【０１１５】
なお、この他の構成および作用効果については、前記実施の形態と略同様であるため説明を省略する。
【０１１６】
以上、図面を参照して、本発明の最良の実施の形態及び実施例を詳述してきたが、具体的な構成は、この実施の形態又は実施例に限らず、本発明の要旨を逸脱しない程度の設計的変更は、本発明に含まれる。
【０１１７】
例えば、本実施の形態及び実施例では、加湿装置８としてフィルタ８２の本体がハニカム構造に形成されるフィルタ８２を用いる場合について説明したが、これに限定されるものではなく、気化式の加湿装置であれば、どのようなフィルタを用いたものであってもよい。
【０１１８】
また、本実施の形態及び実施例では、除湿・加温装置７が配置される場合について説明したが、これに限定されるものではなく、除湿装置であってもよいし、加温装置であってもよい。
【０１１９】
さらに、本実施の形態及び実施例では、換気システムＳを、ユニット建物Ｕに適用する場合について説明したが、これに限定されるものではなく、在来工法の建物や、ビルなどに適用するものであってもよい。
【図面の簡単な説明】
【０１２０】
【図１】本発明の最良の実施の形態の換気システムを備えるユニット建物の全体構成を説明する説明図である。
【図２】電磁弁と床下点検口との位置関係を説明する側面図である。
【図３】本発明の最良の実施の形態の換気システムに配置される換気装置の内部構造を説明する断面図であって、（ａ）は平面図であり、（ｂ）は側面図である。
【図４】本発明の最良の実施の形態の換気システムに配置される換気装置のフィルタの構造を説明する斜視図である。
【図５】本発明の最良の実施の形態の換気システムの吸気及び排気の流れを説明する説明図である。
【図６】加湿装置を運転した場合の湿度の時間変化を説明するグラフである。
【図７】実施例の換気システムに配置される換気装置の内部構造を説明する断面図である。（ａ）は建物全体を加湿する場合であり、（ｂ）は建物の一部を加湿する場合である。
【符号の説明】
【０１２１】
Ｕ            ユニット建物
Ｓ            換気システム
１１，１２    部屋
１３          ホール
１６          床下空間
１７          天井裏空間
２            中間ダクトファン
３６          床下点検口
４５０，４５１，４５２，４５３，４５４，４５５  給気ダクト
６            熱交換換気扇（換気装置）
７            除湿・加温装置
７２          除湿・加温装置接続管
８，８Ａ      加湿装置
８２          フィルタ
８３          給水管（給水装置）
８７          スライドドア
８８          加湿装置接続管（給気ダクト）
【図１】
0005238357.tif 000002
【図２】
0005238357.tif 000003
【図３】
0005238357.tif 000004
【図４】
0005238357.tif 000005
【図５】
0005238357.tif 000006
【図６】
0005238357.tif 000007
【図７】
0005238357.tif 000008